(57)【特許請求の範囲】
【請求項１】
外殻を含み、前記外殻の内部右下端には伝動空間が設けられ、前記伝動空間の上側には昇降空間が設けられ、前記伝動空間の中には本願発明に動力を供給できる伝動機構が設けられ、前記昇降空間の中には製本待ちの書類に穿孔を行える穿孔機構が設けられ、前記外殻の内部左端には製本待ちの書類を挟持できる挟持機構が設けられ、
前記穿孔機構は昇降ブロックを含み、前記昇降ブロックは前記昇降空間に位置し且つ前記昇降空間の中で上下摺動でき、前記昇降ブロックの下面には前記昇降空間の下内壁と連結された復位ばねが固定的に設けられ、前記昇降ブロックの右面にはラックが固定的に設けられ、前記ラックの左面には連結ブロックが固定的に設けられ、前記連結ブロックの内部左上端には駆動空間が三つ設けられ、三つの前記駆動空間は下側にいずれも第一従動空間が設けられ、前記連結ブロックの下面には伸縮ばねが四本固定的に設けられ、四本の前記伸縮ばねは下面が同じ昇降板と固定的に連結され、前記昇降板には前記昇降板を上下に貫通する貫通穴が六つ設けられ、後側の前記駆動空間は上面に第一モータが固定的に設けられ、前記第一モータの下端には駆動軸が伝動可能に連結され、前記駆動軸は下方へ前記第一従動空間の上下内壁を貫通しており、他の二つの前記駆動空間は上内壁にいずれも一本の前記駆動軸が回動可能に設けられ、後側の前記駆動軸は上端に駆動スプロケットが設けられ、前記駆動スプロケットは前記駆動空間に位置し、他の二本の前記駆動軸は、一本の上端に第一従動スプロケットが設けられ、もう一本の上端に第二従動スプロケットが設けられ、前記第一従動スプロケットと前記第二従動スプロケットとは前記駆動空間に位置し、前記駆動スプロケットと、前記第一従動スプロケットと、前記第二従動スプロケットとにはチェーンによって連結され、三本の前記駆動軸はいずれも下端に伝動歯車が設けられ、前記伝動歯車は前記第一従動空間に位置し、三つの前記第一従動空間において下内壁の前端にはいずれも回動棒が回動可能に設けられ、前記回動棒は下方へ前記第一従動空間から出ており、三本の前記回動棒はいずれも上端に旋転歯車が設けられ、前記旋転歯車はそれぞれ一つの前記伝動歯車と噛み合っており、三本の前記駆動軸と三本の前記回動棒はいずれも下端にドリルが固定的に設けられ、前記ドリルは下方へ前記貫通穴に延在し、
前記伝動機構は前記伝動空間の上内壁に固定された第二モータを含み、前記第二モータは下端に伝動軸が伝動可能に連結され、前記伝動軸の上端には主動軸が設けられ、前記昇降空間の右内壁には左方に開口する従動空間が設けられ、前記従動空間の前後内壁には回動軸が回動可能に設けられ、前記回動軸の前端には回動歯車が設けられ、前記回動歯車は前記ラックと噛み合っており、前記回動軸の後端には第一傘歯車が設けられ、前記伝動空間において下内壁の右端には従動軸が回動可能に設けられ、前記従動軸は上方へ前記従動空間に延在し、前記従動軸の上端には前記第一傘歯車と噛み合った第二傘歯車が設けられ、前記従動軸の下端には前記主動軸と噛み合うことができるラチェットが設けられ、前記ラチェットの中には外方に開口する回動空間が十二個均一に配列され、前記回動空間の前後内壁には固定棒が固定的に設けられ、前記固定棒には回動歯が設けられ、前記回動歯と前記固定棒とは捻りばねによって連結され、前記従動軸の下端には第一リールが設けられ、前記第一リールは前記ラチェットの下側に位置し、前記第一リールには麻縄が巻かれており、
前記挟持機構は前記伝動空間の左側に位置する移動空間を含み、前記移動空間の中には前記移動空間の中で上下移動できる移動ブロックが設けられ、前記移動ブロックの下面には前記移動空間の下内壁と連結された支持ばねが二本固定的に設けられ、前記移動ブロックの左右面にはいずれも固定ブロックが固定的に設けられ、前記固定ブロックは上方へ前記移動空間の上内壁から出ており、前記麻縄の他端は前記固定ブロックの下面に固定的に連結され、左側の前記固定ブロックの内部上端には右方に開口する摺動空間が設けられ、右側の前記固定ブロックの内部上端には左方に開口する前記摺動空間が設けられ、二つの前記摺動空間の中にはいずれも前記摺動空間の中で上下摺動できるスライダが設けられ、前記スライダの下面には前記摺動空間の下内壁と連結された弾力ばねが固定的に設けられ、左側の前記スライダの右面と、右側の前記スライダの左面とには、いずれも載置ブロックが一個固定的に設けられ、二つの前記スライダの下面にはいずれも牽引縄が一本固定的に連結され、前記伝動空間において上下内壁の左端には旋転軸が回動可能に設けられ、前記旋転軸の上端にはもう一つの前記ラチェットが設けられ、前記ラチェットは前記主動軸と噛み合うことができ、二つの前記ラチェットは前記伝動軸を中心に位置的に対称となっており、前記旋転軸の下端には二つの第二リールが設けられ、二つの前記第二リールには前記牽引縄が巻かれており、
二本の前記支持ばねが持つ弾力の和は、前記移動ブロックが前記移動空間の中で摺動する時に受けた摩擦力と、前記移動ブロックが受けた重力との和より大きく、
前記弾力ばねが持つ弾力は、前記スライダが前記摺動空間の中で摺動する時に受けた摩擦力と、前記スライダが受けた重力との和より大きいことを特徴とする厚い書類に対応できる製本補助装置。
【発明の詳細な説明】
【技術分野】
【０００１】
本願発明はステープラー分野を取り上げ、特に厚い書類に対応できる製本補助装置に関わる。
【背景技術】
【０００２】
紙を集めて製本するには、ステープラーで紙を綴じる必要がある。紙の数が多ければ多いほど、できた本は厚くなり、綴じる難易度も上がってしまう。
現段階において、分厚い書類を綴じる時に、よく強力なステープラーを用いるが、ズレを起こしやすく、製本効果に響き、また、書類の厚さがステープラーの限度を超えたら、綴じるのはさらに難しい。
【先行技術文献】
【特許文献】
【０００３】
【特許文献１】中国特許出願公開第１０３７０７２６７号明細書
【発明の概要】
【発明が解決しようとする課題】
【０００４】
厚い書類に対応できる製本補助装置を提供し、且つ当該装置は異なる厚さの書類に適応でき、製本効果を上げられる。
【課題を解決するための手段】
【０００５】
本願発明は以下の技術的解決策によって実現される。
【０００６】
本願に記載の厚い書類に対応できる製本補助装置は、外殻を含み、前記外殻の内部右下端には伝動空間が設けられ、前記伝動空間の上側には昇降空間が設けられ、前記伝動空間の中には本願発明に動力を供給できる伝動機構が設けられ、前記昇降空間の中には製本待ちの書類に穿孔を行える穿孔機構が設けられ、前記外殻の内部左端には製本待ちの書類を挟持できる挟持機構が設けられ、
前記穿孔機構は昇降ブロックを含み、前記昇降ブロックは前記昇降空間に位置し且つ前記昇降空間の中で上下摺動でき、前記昇降ブロックの下面には前記昇降空間の下内壁と連結された復位ばねが固定的に設けられ、前記昇降ブロックの右面にはラックが固定的に設けられ、前記ラックの左面には連結ブロックが固定的に設けられ、前記連結ブロックの内部左上端には駆動空間が三つ設けられ、三つの前記駆動空間は下側にいずれも第一従動空間が設けられ、前記連結ブロックの下面には伸縮ばねが四本固定的に設けられ、四本の前記伸縮ばねは下面が同じ昇降板と固定的に連結され、前記昇降板には前記昇降板を上下に貫通する貫通穴が六つ設けられ、後側の前記駆動空間は上面に第一モータが固定的に設けられ、前記第一モータの下端には駆動軸が伝動可能に連結され、前記駆動軸は下方へ前記第一従動空間の上下内壁を貫通しており、他の二つの前記駆動空間は上内壁にいずれも一本の前記駆動軸が回動可能に設けられ、後側の前記駆動軸は上端に駆動スプロケットが設けられ、前記駆動スプロケットは前記駆動空間に位置し、他の二本の前記駆動軸は、一本の上端に第一従動スプロケットが設けられ、もう一本の上端に第二従動スプロケットが設けられ、前記第一従動スプロケットと前記第二従動スプロケットとは前記駆動空間に位置し、前記駆動スプロケットと、前記第一従動スプロケットと、前記第二従動スプロケットとにはチェーンによって連結され、三本の前記駆動軸はいずれも下端に伝動歯車が設けられ、前記伝動歯車は前記第一従動空間に位置し、三つの前記第一従動空間において下内壁の前端にはいずれも回動棒が回動可能に設けられ、前記回動棒は下方へ前記第一従動空間から出ており、三本の前記回動棒はいずれも上端に旋転歯車が設けられ、前記旋転歯車はそれぞれ一つの前記伝動歯車と噛み合っており、三本の前記駆動軸と三本の前記回動棒はいずれも下端にドリルが固定的に設けられ、前記ドリルは下方へ前記貫通穴に延在する。
【０００７】
さらなる技術的解決策として、前記伝動機構は前記伝動空間の上内壁に固定された第二モータを含み、前記第二モータは下端に伝動軸が伝動可能に連結され、前記伝動軸の上端には主動軸が設けられ、前記昇降空間の右内壁には左方に開口する従動空間が設けられ、前記従動空間の前後内壁には回動軸が回動可能に設けられ、前記回動軸の前端には回動歯車が設けられ、前記回動歯車は前記ラックと噛み合っており、前記回動軸の後端には第一傘歯車が設けられ、前記伝動空間において下内壁の右端には従動軸が回動可能に設けられ、前記従動軸は上方へ前記従動空間に延在し、前記従動軸の上端には前記第一傘歯車と噛み合った第二傘歯車が設けられ、前記従動軸の下端には前記主動軸と噛み合うことができるラチェットが設けられ、前記ラチェットの中には外方に開口する回動空間が十二個均一に配列され、前記回動空間の前後内壁には固定棒が固定的に設けられ、前記固定棒には回動歯が設けられ、前記回動歯と前記固定棒とは捻りばねによって連結され、前記従動軸の下端には第一リールが設けられ、前記第一リールは前記ラチェットの下側に位置し、前記第一リールには麻縄が巻かれている。
【０００８】
さらなる技術的解決策として、前記挟持機構は前記伝動空間の左側に位置する移動空間を含み、前記移動空間の中には前記移動空間の中で上下移動できる移動ブロックが設けられ、前記移動ブロックの下面には前記移動空間の下内壁と連結された支持ばねが二本固定的に設けられ、前記移動ブロックの左右面にはいずれも固定ブロックが固定的に設けられ、前記固定ブロックは上方へ前記移動空間の上内壁から出ており、前記麻縄の他端は前記固定ブロックの下面に固定的に連結され、左側の前記固定ブロックの内部上端には右方に開口する摺動空間が設けられ、右側の前記固定ブロックの内部上端には左方に開口する前記摺動空間が設けられ、二つの前記摺動空間の中にはいずれも前記摺動空間の中で上下摺動できるスライダが設けられ、前記スライダの下面には前記摺動空間の下内壁と連結された弾力ばねが固定的に設けられ、左側の前記スライダの右面と、右側の前記スライダの左面とには、いずれも載置ブロックが一個固定的に設けられ、二つの前記スライダの下面にはいずれも牽引縄が一本固定的に連結され、前記伝動空間において上下内壁の左端には旋転軸が回動可能に設けられ、前記旋転軸の上端にはもう一つの前記ラチェットが設けられ、前記ラチェットは前記主動軸と噛み合うことができ、二つの前記ラチェットは前記伝動軸を中心に位置的に対称となっており、前記旋転軸の下端には二つの第二リールが設けられ、二つの前記第二リールには前記牽引縄が巻かれている。
【０００９】
さらなる技術的解決策として、二本の前記支持ばねが持つ弾力の和は、前記移動ブロックが前記移動空間の中で摺動する時に受けた摩擦力と、前記移動ブロックが受けた重力との和より大きい。
【００１０】
さらなる技術的解決策として、前記弾力ばねが持つ弾力は、前記スライダが前記摺動空間の中で摺動する時に受けた摩擦力と、前記スライダが受けた重力との和より大きい。
【発明の効果】
【００１１】
本発明は以下のプラス効果を有する：本願発明は作業時に、挟持部の空間を調整することで、異なる厚さの書類に対応でき、また、挟持された書類は、製本区域で穿孔され、製本の難易度を下げる。
【図面の簡単な説明】
【００１２】
下記に図１〜４を合わせて本発明について詳しく説明し、便利に説明するために、本願に記載の各方向を以下のように規定する：図１は本願発明の正面図であり、本願に記載の各方向は、図１における観察方向に基づくものである。
【００１３】
【図１】図１は本願発明の構成略図
【図２】図２は図１におけるＡ―Ａ部の構成略図
【図３】図３は図１におけるＢ―Ｂ部の構成略図
【図４】図４は図１におけるＣ―Ｃ部の構成略図
【発明を実施するための形態】
【００１４】
図１〜図４を参照し、本願に記載の厚い書類に対応できる製本補助装置は、外殻１０を含み、前記外殻１０の内部右下端には伝動空間３０が設けられ、前記伝動空間３０の上側には昇降空間６２が設けられ、前記伝動空間３０の中には本願発明に動力を供給できる伝動機構３１が設けられ、前記昇降空間６２の中には製本待ちの書類に穿孔を行える穿孔機構２０が設けられ、前記外殻１０の内部左端には製本待ちの書類を挟持できる挟持機構１８が設けられ、前記穿孔機構２０は昇降ブロック６３を含み、前記昇降ブロック６３は前記昇降空間６２に位置し且つ前記昇降空間６２の中で上下摺動でき、前記昇降ブロック６３の下面には前記昇降空間６２の下内壁と連結された復位ばね６７が固定的に設けられ、前記昇降ブロック６３の右面にはラック６４が固定的に設けられ、前記ラック６４の左面には連結ブロック１９が固定的に設けられ、前記連結ブロック１９の内部左上端には駆動空間５０が三つ設けられ、三つの前記駆動空間５０は下側にいずれも第一従動空間４８が設けられ、前記連結ブロック１９の下面には伸縮ばね４５が四本固定的に設けられ、四本の前記伸縮ばね４５は下面が同じ昇降板４４と固定的に連結され、前記昇降板４４には前記昇降板４４を上下に貫通する貫通穴４３が六つ設けられ、後側の前記駆動空間５０は上面に第一モータ５１が固定的に設けられ、前記第一モータ５１の下端には駆動軸４６が伝動可能に連結され、前記駆動軸４６は下方へ前記第一従動空間４８の上下内壁を貫通しており、他の二つの前記駆動空間５０は上内壁にいずれも一本の前記駆動軸４６が回動可能に設けられ、後側の前記駆動軸４６は上端に駆動スプロケット４９が設けられ、前記駆動スプロケット４９は前記駆動空間５０に位置し、他の二本の前記駆動軸４６は、一本の上端に第一従動スプロケット５３が設けられ、もう一本の上端に第二従動スプロケット５４が設けられ、前記第一従動スプロケット５３と前記第二従動スプロケット５４とは前記駆動空間５０に位置し、前記駆動スプロケット４９と、前記第一従動スプロケット５３と、前記第二従動スプロケット５４とにはチェーン５２によって連結され、三本の前記駆動軸４６はいずれも下端に伝動歯車４７が設けられ、前記伝動歯車４７は前記第一従動空間４８に位置し、三つの前記第一従動空間４８において下内壁の前端にはいずれも回動棒６５が回動可能に設けられ、前記回動棒６５は下方へ前記第一従動空間４８から出ており、三本の前記回動棒６５はいずれも上端に旋転歯車４１が設けられ、前記旋転歯車４１はそれぞれ一つの前記伝動歯車４７と噛み合っており、三本の前記駆動軸４６と三本の前記回動棒６５はいずれも下端にドリル４２が固定的に設けられ、前記ドリル４２は下方へ前記貫通穴４３に延在する。
【００１５】
有利なことに、前記伝動機構３１は前記伝動空間３０の上内壁に固定された第二モータ２５を含み、前記第二モータ２５は下端に伝動軸３２が伝動可能に連結され、前記伝動軸３２の上端には主動軸２７が設けられ、前記昇降空間６２の右内壁には左方に開口する従動空間２１が設けられ、前記従動空間２１の前後内壁には回動軸２３が回動可能に設けられ、前記回動軸２３の前端には回動歯車２２が設けられ、前記回動歯車２２は前記ラック６４と噛み合っており、前記回動軸２３の後端には第一傘歯車５６が設けられ、前記伝動空間３０において下内壁の右端には従動軸２４が回動可能に設けられ、前記従動軸２４は上方へ前記従動空間２１に延在し、前記従動軸２４の上端には前記第一傘歯車５６と噛み合った第二傘歯車５５が設けられ、前記従動軸２４の下端には前記主動軸２７と噛み合うことができるラチェット２６が設けられ、前記ラチェット２６の中には外方に開口する回動空間６０が十二個均一に配列され、前記回動空間６０の前後内壁には固定棒５７が固定的に設けられ、前記固定棒５７には回動歯５８が設けられ、前記回動歯５８と前記固定棒５７とは捻りばね５９によって連結され、前記従動軸２４の下端には第一リール２８が設けられ、前記第一リール２８は前記ラチェット２６の下側に位置し、前記第一リール２８には麻縄２９が巻かれている。
【００１６】
有利なことに、前記挟持機構１８は前記伝動空間３０の左側に位置する移動空間３９を含み、前記移動空間３９の中には前記移動空間３９の中で上下移動できる移動ブロック１１が設けられ、前記移動ブロック１１の下面には前記移動空間３９の下内壁と連結された支持ばね３８が二本固定的に設けられ、前記移動ブロック１１の左右面にはいずれも固定ブロック１３が固定的に設けられ、前記固定ブロック１３は上方へ前記移動空間３９の上内壁から出ており、前記麻縄２９の他端は前記固定ブロック１３の下面に固定的に連結され、左側の前記固定ブロック１３の内部上端には右方に開口する摺動空間１４が設けられ、右側の前記固定ブロック１３の内部上端には左方に開口する前記摺動空間１４が設けられ、二つの前記摺動空間１４の中にはいずれも前記摺動空間１４の中で上下摺動できるスライダ１６が設けられ、前記スライダ１６の下面には前記摺動空間１４の下内壁と連結された弾力ばね１５が固定的に設けられ、左側の前記スライダ１６の右面と、右側の前記スライダ１６の左面とには、いずれも載置ブロック１７が一個固定的に設けられ、二つの前記スライダ１６の下面にはいずれも牽引縄１２が一本固定的に連結され、前記伝動空間３０において上下内壁の左端には旋転軸６１が回動可能に設けられ、前記旋転軸６１の上端にはもう一つの前記ラチェット２６が設けられ、前記ラチェット２６は前記主動軸２７と噛み合うことができ、二つの前記ラチェット３２は前記伝動軸３２を中心に位置的に対称となっており、前記旋転軸６１の下端には二つの第二リール３３が設けられ、二つの前記第二リール３３には前記牽引縄１２が巻かれている。
【００１７】
有利なことに、二本の前記支持ばね３８が持つ弾力の和は、前記移動ブロック１１が前記移動空間３９の中で摺動する時に受けた摩擦力と、前記移動ブロック１１が受けた重力との和より大きい。
【００１８】
有利なことに、前記弾力ばね１５が持つ弾力は、前記スライダ１６が前記摺動空間１４の中で摺動する時に受けた摩擦力と、前記スライダ１６が受けた重力との和より大きい。
【００１９】
はじめに、前記昇降ブロック６３は前記昇降空間６２の内部上端に位置し、前記昇降板４４は自重と前記伸縮ばね４５の作用により、前記ドリル４２を前記貫通穴４３に差し込み、二つの前記スライダ１６は二本の前記弾力ばね１４による支持で前記摺動空間１４の内部上端に位置し、前記移動ブロック１１は二本の前記支持ばね３８による支持で前記移動空間３９の内部上端に位置している。  
【００２０】
製本待ちの書類を挟持するには、第二モータ２５を作動させ、主動軸２７は第二モータ２５に駆動されて回転し、噛み合いにより、左側のラチェット２６にある回動歯５８を回転させ、回動歯５８はさらに回動空間６０の左内壁の妨害を受けながら、噛み合いにより、右側のラチェット２６を回転させ、左側の回動歯５８は回動空間６０の内壁の妨害を受けっていないため、回動空間６０の中で回転し、ラチェット２６はまた回転により旋転軸６１と旋転軸６１の下端にある二つの第二リール３３とを回転させることで、二本の牽引縄１２を引き締め、二つのスライダ１６は二本の牽引縄１２に引かれて降下し、二つの載置ブロック１７をつれて降下させ、スライダ１６が牽引縄１２に引かれて摺動空間１４の底部に辿ったら、スライダ１６は降下を止め、牽引縄１２も引っ張られなくなり、二つの第二リール３３は旋転軸６１で滑り、回転を止め、ここで製本待ちの書類を二つの載置ブロック１７に置けば良し、
穿孔するには、第一モータ５１を作動させ、駆動軸４６は第一モータ５１に駆動されて回転し、駆動スプロケット４９と伝動歯車４７とを回転させ、駆動スプロケット４９はさらにチェーン５２により、第一従動スプロケット５３と第二従動スプロケット５４とを回転させることで、他の二本の駆動軸４６を回転させ、そして伝動歯車４７の回転により、旋転歯車４１は連動して回転し、回動棒６５を回転させ、三本の駆動軸４６と三本の回動棒６５とは回転により六つのドリル４２を回転させ、第二モータ２５を逆回転させ、伝動軸３２と主動軸２７とは連動して逆回転し、主動軸２７の逆回転により、右側のラチェット２６は回転し、従動軸２４及び従動軸２４にある第一リール２８と第二傘歯車５５を回転させ、第一リール２８は回転して麻縄２９を引き締め、移動ブロック１１は麻縄２９に引かれて降下し、二つの固定ブロック１３を降下させることで、載置ブロック１７にある書類を挟み、書類を挟んだ後に、二つの固定ブロック１３と移動ブロック１１とはこれ以上降下できなく、麻縄２９は引っ張られなくなり、第一リール２８は従動軸２４で滑り、回転を止め、第二傘歯車５５は回転により第一傘歯車５６を回転させることで、回動軸２３と回動軸２３にある回動歯車２２とを回転させ、回動歯車２２はさらにラック６４と昇降ブロック６３とを降下させることで、連結ブロック１９を降下させ、連結ブロック１９はさらにドリル４２を降下させることで、載置ブロック１７にある書類に穿孔を行い、穿孔後に、第二モータ２５と第一モータ５１とを止め、昇降ブロック６３と連結ブロック１９とは復位ばね６７の弾力により上昇し復位し、六つのドリル４２が回転を止め、移動ブロック１１は支持ばね３８の作用により上昇し、これにて操作を完了とする。
【００２１】
以上の方式により、当該分野の従業員は本願発明の範囲内で作業状況に応じて様々な改変を加えることができる。
【要約】
【課題】本願は厚い書類に対応できる製本補助装置を開示した。
【解決手段】
本願に記載の厚い書類に対応できる製本補助装置は、外殻を含み、前記外殻の内部右下端には伝動空間が設けられ、前記伝動空間の上側には昇降空間が設けられ、前記伝動空間の中には本願発明に動力を供給できる伝動機構が設けられ、前記昇降空間の中には製本待ちの書類に穿孔を行える穿孔機構が設けられ、前記外殻の内部左端には製本待ちの書類を挟持できる挟持機構が設けられ、前記穿孔機構は昇降ブロックを含み、前記昇降ブロックは前記昇降空間に位置し且つ前記昇降空間の中で上下摺動でき、本願発明は作業時に、挟持部の空間を調整することで、異なる厚さの書類に対応でき、また、挟持された書類は、製本区域で穿孔され、製本の難易度を下げる。
【選択図】図１【図１】
0006841999.tif 000002
【図２】
0006841999.tif 000003
【図３】
0006841999.tif 000004
【図４】
0006841999.tif 000005